(57)【要約】      （修正有）【課題】ノズルクリーニングにより局部洗浄ノズルの先端部に付着した汚れを除去しやすくする。【解決手段】局部洗浄ノズル２の上面部２ｄに洗浄水５を吐出する吐出口４を設け、局部洗浄ノズル２を局部洗浄を行う前方突出位置と後方収納位置との間で前後移動可能に設けると共に、前記後方収納位置にある局部洗浄ノズル２の吐出口４から洗浄水５を噴出させて局部洗浄ノズル２の外表面の汚れを除去するノズルクリーニングを行う局部洗浄装置である。局部洗浄ノズル２の先端部２ａにその上端２ｂから下端２ｃに行く程前方に位置するように傾斜した水勾配６を形成した。【選択図】図４
2012172339.tif 000002
【特許請求の範囲】
【請求項１】
局部洗浄ノズルの上面部に洗浄水を吐出する吐出口を設け、局部洗浄ノズルを局部洗浄を行う前方突出位置と後方収納位置との間で前後移動可能に設けると共に、前記後方収納位置にある局部洗浄ノズルの吐出口から洗浄水を噴出させて局部洗浄ノズルの外表面の汚れを除去するノズルクリーニングを行う局部洗浄装置であって、前記局部洗浄ノズルの先端部にその上端から下端に行く程前方に位置するように傾斜した水勾配を形成してなることを特徴とする局部洗浄装置。
【発明の詳細な説明】
【技術分野】
【０００１】
本発明は、局部洗浄装置に関し、詳しくはノズルクリーニングにより局部洗浄ノズルの外表面の汚れを除去する局部洗浄装置に関するものである。
【背景技術】
【０００２】
従来から、この種の局部洗浄装置として、人体の局部を洗浄する局部洗浄ノズルを、ノズルホルダーに収納した後方収納位置と局部洗浄を行う前方突出位置との間で前後移動させるようにしたものが一般的な構造である（例えば、特許文献１参照）。
【０００３】
この局部洗浄装置では、局部洗浄のときには前方に突出した局部洗浄ノズルが人体の局部に接近して吐出口から洗浄水を噴射する。この洗浄の際に局部洗浄ノズルは汚水や汚物を浴びやすい。そこで局部洗浄ノズルの外表面に付着した汚れを局部洗浄用の洗浄水を利用して洗い落とすためのノズルクリーニングを実施する。このノズルクリーニングは、局部洗浄動作の前或いは後で、後方収納位置にある局部洗浄ノズルの吐出口から所定量の洗浄水を吐出させる。この洗浄水は局部洗浄ノズルを覆っているノズルホルダーの内面に当たって局部洗浄ノズルの吐出口周辺部に跳ね返り、局部洗浄ノズルの外表面に付着した汚れを流し落とすというものである。
【先行技術文献】
【特許文献】
【０００４】
【特許文献１】特公平１−４３１０１号公報
【発明の概要】
【発明が解決しようとする課題】
【０００５】
しかし、上記特許文献１に示される従来例にあっては、局部洗浄ノズル２”の先端部２ａは、図５のように局部洗浄ノズル２”の軸線方向Ｍと直交する垂直面で形成されている。このため上面部２ｄの吐出口周辺部Ｎを洗浄する洗浄水５が図５の矢印方向に流れ落ち、垂直面からなる先端部２ａには回り込みにくくなる。結果、先端部２ａに付着している汚れＡが残りやすいという問題があった。
【０００６】
本発明は上記の事情に鑑みてなされたものであって、その目的とするところは、ノズルクリーニングにより局部洗浄ノズルの先端部に付着した汚れを除去しやすくできる局部洗浄装置を提供することにある。
【課題を解決するための手段】
【０００７】
前記の課題を解決するために、本発明は、局部洗浄ノズルの上面部に洗浄水を吐出する吐出口を設け、局部洗浄ノズルを局部洗浄を行う前方突出位置と後方収納位置との間で前後移動可能に設けると共に、前記後方収納位置にある局部洗浄ノズルの吐出口から洗浄水を噴出させて局部洗浄ノズルの外表面の汚れを除去するノズルクリーニングを行う局部洗浄装置であって、前記局部洗浄ノズルの先端部にその上端から下端に行く程前方に位置するように傾斜した水勾配を形成してなることを特徴としている。
【発明の効果】
【０００８】
本発明に係る局部洗浄装置は、局部洗浄ノズルの先端部に付着した汚れをノズルクリーニングにより除去しやすくできるものである。
【図面の簡単な説明】
【０００９】
【図１】本実施形態の局部洗浄ノズルを内蔵した局部洗浄装置を示す斜視図である。
【図２】同上の局部洗浄装置を設備した便器を示す斜視図である
【図３】同上の局部洗浄ノズルを前方突出位置に突出させた状態を示す斜視図である。
【図４】（ａ）は同上の局部洗浄ノズルの先端部付近の斜視図、（ｂ）は側面図である。
【図５】従来の局部洗浄ノズルの先端部付近の斜視図である。
【発明を実施するための形態】
【００１０】
以下、本発明の実施の形態について、図面を参照しながら説明する。
【００１１】
図１は本実施形態の局部洗浄ノズル２を内蔵した局部洗浄装置１を示す斜視図であり、図２はこの局部洗浄装置１を設備した便器３を示す斜視図である。
【００１２】
便器３には衛生洗浄装置のケーシング７が固定され、このケーシング７には便座８及び便蓋９をそれぞれ開閉自在に取り付けている。ケーシング７の内部には局部洗浄のための局部洗浄装置１と供水配管系及び洗浄後の乾燥のための温風乾燥装置等（図示略）が収納され、各機能部は操作部（図示略）によって駆動操作される。
【００１３】
おしり・ビデ洗浄用の局部洗浄ノズル２は、ケーシング７（図１参照）内に配置したモータの出力軸（図示略）に連接され、図１の後方収納位置と図３の前方突出位置との間を前後方向に所定のストロークで往復移動する。図中の２０は開閉自在なノズルカバーである。
【００１４】
局部洗浄ノズル２の上面部２ｄには洗浄水５を上方に向かって吐出する吐出口４が設けられている。局部洗浄時には局部洗浄ノズル２を前方突出位置に突出させて局部洗浄を行う。局部洗浄後は局部洗浄ノズル２が後方収納位置に収納され、局部洗浄ノズル２全体がノズルホルダー１１で覆われた状態となる。このノズルホルダー１１は、局部洗浄ノズル２の少なくとも吐出口４を所定隙間をあけて上方から覆う断面形状を持ち、吐出口４から吐出する洗浄水５を局部洗浄ノズル２の外表面に跳ね返すことで、局部洗浄ノズル２の外表面をクリーニング可能とする。
【００１５】
局部洗浄ノズル２の軸線方向Ｍ（図４（ｂ）参照）は、先端部２ａ側が後端部側よりも下になるように前下がり状に傾斜しており、この軸線方向Ｍと平行な方向に向けて局部洗浄ノズル２が前後移動する。
【００１６】
局部洗浄ノズル２は、図４に示すように、先端部２ａが閉塞された有頂円筒状に形成されている。局部洗浄ノズル２の先端部２ａは、その上端２ｂから下端２ｃに行く程前方Ｆに位置するように傾斜した水勾配６を有している。本例では側面視で平坦面状に下り傾斜している。これにより、ノズルクリーニング時において局部洗浄ノズル２の吐出口周辺部Ｎを洗浄する洗浄水５が先端部２ａ全体に回り込みやすくなり、洗浄しやすい形状となっている。
【００１７】
上記構成によれば、局部洗浄前或いは後に、ノズルクリーニングを実施する。つまり、後方収納位置にある局部洗浄ノズル２の吐出口４から洗浄水５を吐出させると、この洗浄水５はノズルホルダー１１の内面に当たって局部洗浄ノズル２の上面部２ｄの吐出口周辺部Ｎ（図４（ａ）参照）に跳ね返り、局部洗浄ノズル２の外表面に付着している汚れを洗い流す。また吐出口周辺部Ｎに跳ね返った洗浄水５は図４の矢印で示す水勾配６に沿って、局部洗浄ノズル２の先端部２ａの上端２ｂから下端２ｃに回り込むように流れ落ちる。これにより、局部洗浄ノズル２の先端部２ａの汚れＡも洗い流される。
【００１８】
この結果、局部洗浄ノズル２の先端部２ａの形状を傾斜させるという簡単な構造で、局部洗浄ノズル２の先端部２ａに付着した汚れを除去しやすくなり、局部洗浄ノズル２の先端部２ａの洗浄性が向上する。
【００１９】
また本例では、局部洗浄ノズル２の先端部２ａを平滑平面で下り傾斜させているので、洗浄水５が一層、流下しやすくなり、汚れが一層除去されやすくなる。
【００２０】
仮りにノズルクリーニングだけでは局部洗浄ノズル２の汚れが落ちないときは、局部洗浄ノズル２を前方Ｆに引き出してブラシ等で拭き掃除をする。このとき局部洗浄ノズル２の先端部２ａはその上端２ｂから下端２ｃに行く程前方Ｆに位置するように傾斜しているため、先端部２ａが掃除をする人に向くようになり、拭き掃除がしやすいという利点もある。
【符号の説明】
【００２１】
１  局部洗浄装置
２  局部洗浄ノズル
２ａ  先端部
２ｂ  上端
２ｃ  下端
４  吐出口
５  洗浄水
６  水勾配
Ｆ  前方
【図１】
2012172339.tif 000003
【図２】
2012172339.tif 000004
【図３】
2012172339.tif 000005
【図４】
2012172339.tif 000006
【図５】
2012172339.tif 000007